(57)【要約】【課題】組み立てが容易であるとともに、耐久性にも優れた組立式棚物を提供する。【解決手段】更好棚は、地板１０と、天板３０と、第１支柱４０とを備えている。地板１０には、第１凹部１２が形成されている。天板３０には、第３凹部３２が形成されている。第１支柱４０は直線状に延びている。第１支柱４０は、一端に第１凹部１２に組み付けられる第１下凸部４２が形成されている。他端に第３凹部３２に組み付けられる第１上凸部４３が形成されている。第１支柱４０は、第１凹部１２に第１下凸部４２を組み付けるとともに、第３凹部３２に第１上凸部４３を組み付けることにより、地板１０に対して天板３０を上方に位置させる。第１凹部１２と第１下凸部４２との間及び第３凹部３２と第１上凸部４３との間の少なくとも一方には、互いに引き合う磁力を生じる永久磁石６１、６２、６５及び鉄板６６が設けられている。【選択図】図４
2018015105.tif 000002
【特許請求の範囲】
【請求項１】
点前に際して組み立てられ、茶道具が飾り置かれる組立式棚物であって、
第１組付部が形成された第１板と、
第２組付部が形成された第２板と、
直線状に延び、一端に前記第１組付部に組み付けられる第１下係合部が形成されているとともに、他端に前記第２組付部に組み付けられる第１上係合部が形成され、前記第１組付部に前記第１下係合部を組み付けるとともに、前記第２組付部に前記第１上係合部を組み付けることにより、前記第１板に対して前記第２板を上方に位置させる少なくとも２本の第１支柱とを備え、
前記第１組付部と前記第１下係合部との間及び前記第２組付部と前記第１上係合部との間の少なくとも一方には、互いに引き合う磁力を生じる磁着手段が設けられていることを特徴とする組立式棚物。
【請求項２】
前記第１板は、第１平坦面を有する木製の第１板本体と、前記第１板本体に前記第１平坦面から凹んで形成された前記第１組付部としての第１凹部とを有し、
前記第２板は、第２平坦面を有する木製の第２板本体と、前記第２板本体に前記第２平坦面から凹んで形成された前記第２組付部としての第２凹部とを有し、
前記第１支柱は、木製の第１支柱本体と、前記第１支柱本体から突出して形成され、前記第１凹部内に遊嵌可能な前記第１下係合部としての第１凸部と、前記第１支柱本体から突出して形成され、前記第２凹部内に遊嵌可能な前記第１上係合部としての第２凸部とを有し、
前記第１凹部と前記第１凸部との間に前記磁着手段としての第１磁着手段が設けられ、
前記第２凹部と前記第２凸部との間に前記磁着手段としての第２磁着手段が設けられている請求項１記載の組立式棚物。
【請求項３】
第３組付部が形成された第３板と、
直線状に延び、一端に前記第２組付部又は前記第１上係合部に組み付けられる第２下係合部が形成されているとともに、他端に前記第３組付部に組み付けられる第２上係合部が形成され、前記第２組付部又は前記第１上係合部に前記第２下係合部を組み付けるとともに、前記第３組付部に前記第２上係合部を組み付けることにより、前記第２板に対して前記第３板を上方に位置させる少なくとも２本の第２支柱とを備え、
前記第２組付部又は前記第１上係合部と前記第２下係合部との間及び前記第３組付部と前記第２上係合部との間の少なくとも一方に前記磁着手段が設けられている請求項１記載の組立式棚物。
【請求項４】
前記第２板は、第２平坦面を有する木製の第２板本体と、前記第２板本体に前記第２平坦面から凹んで形成された前記第２組付部としての第２凹部とを有し、
前記第３板は、第３平坦面を有する木製の第３板本体と、前記第３板本体に前記第３平坦面から凹んで形成された前記第３組付部としての第３凹部とを有し、
前記第２支柱は、木製の第２支柱本体と、前記第２支柱本体から突出して形成され、前記第２凹部内に遊嵌可能な前記第２下係合部としての第３凸部と、前記第２支柱本体から突出して形成され、前記第３凹部内に遊嵌可能な前記第２上係合部としての第４凸部とを有し、
前記第２凹部と前記第３凸部との間に前記磁着手段としての第３磁着手段が設けられ、
前記第３凹部と前記第４凸部との間に前記磁着手段としての前記第４磁着手段が設けられている請求項３記載の組立式棚物。
【請求項５】
前記第１板は、第１平坦面を有する木製の第１板本体と、前記第１板本体に前記第１平坦面から凹んで形成された前記第１組付部としての第１凹部とを有し、
前記第２板は、第２平坦面を有する木製の第２板本体と、前記第２板本体に前記第２平坦面から凹んで形成された前記第２組付部としての第２凹部とを有し、
前記第３板は、第３平坦面を有する木製の第３板本体と、前記第３板本体に前記第３平坦面から凹んで形成された前記第３組付部としての第３凹部とを有し、
前記第１支柱は、木製の第１支柱本体と、前記第１支柱本体から突出して形成され、前記第１凹部内に遊嵌可能な前記第１下係合部としての木製の第１下凸部と、前記第１支柱本体から突出して形成され、前記第２凹部内に遊嵌可能な前記第１上係合部としての木製の第１上凸部とを有し、
前記第２支柱は、木製の第２支柱本体と、前記第２支柱本体から突出して形成され、前記第２凹部内に遊嵌可能な前記第２下係合部としての木製の第２下凸部と、前記第２支柱本体から突出して形成され、前記第３凹部内に遊嵌可能な前記第２上係合部としての木製の第２上凸部とを有し、
前記第１凹部と前記第１下凸部との間に前記磁着手段としての第１磁着手段が設けられ、
前記第１上凸部に前記磁着手段としての第２磁着手段が設けられ、
前記第２下凸部に前記磁着手段としての第３磁着手段が設けられ、
前記第３凹部と前記第２上凸部との間に前記磁着手段としての第４磁着手段が設けられ、
前記第２磁着手段と前記第３磁着手段とは、互いに磁極が異なる永久磁石からなる請求項３記載の組立式棚物。
【請求項６】
前記第１磁着手段は、前記第１凹部に設けられた永久磁石と、前記第１下凸部に設けられた永久磁石とからなり、
前記第４磁着手段は、前記第３凹部に設けられた磁性体と、前記第２上凸部に設けられた永久磁石とからなる請求項５記載の組立式棚物。
【発明の詳細な説明】
【技術分野】
【０００１】
本発明は組立式棚物に関する。
【背景技術】
【０００２】
組立式棚物が古くから知られている。この組立式棚物は、点前に際して組み立てられ、水指、茶入れ、柄杓等の茶道具が飾り置かれるものである。
【０００３】
従来の組立式棚物としての例えば更好棚（こうこうだな）は、複数の部品として、地板と呼ばれる第１板と、中板と呼ばれる第２板と、天板と呼ばれる第３板と、地板と中板との間で直線状に延びる４本の第１支柱と、中板と天板との間で直線状に延びる４本の第２支柱とを備えている。
【０００４】
地板は、第１平坦面を有する木製の第１板本体と、第１板本体に第１平坦面から四角形状に凹んで形成された第１凹部とを有している。中板は、第２平坦面を有する木製の第２板本体と、第２板本体に第２平坦面から四角形状に凹んで形成された第２凹部とを有している。第２凹部は貫通孔とされている。天板は、第３平坦面を有する木製の第３板本体と、第３板本体に第３平坦面から四角形状に凹んで形成された第３凹部とを有している。
【０００５】
各第１支柱は、木製の第１支柱本体と、第１支柱本体から四角形状に突出して形成され、第１凹部内に組み付けられる第１凸部と、第１支柱本体から四角形状に突出して形成され、第２凹部内に組み付けられる第２凸部とを有している。各第１支柱は、地板の第１凹部に第１凸部を組み付けるとともに、中板の第２凹部に第２凸部を組み付けることにより、地板に対して中板を上方に位置させる。
【０００６】
各第２支柱は、木製の第２支柱本体と、第２支柱本体から四角形状に突出して形成され、第２凹部内に組み付けられる第３凸部と、第２支柱本体から四角形状に突出して形成され、第３凹部内に組み付けられる第４凸部とを有している。各第２支柱は、中板の第２凹部に第３凸部を組み付けるとともに、天板の第３凹部に第４凸部を組み付けることにより、中板に対して天板を上方に位置させる。
【０００７】
第１凹部と第１凸部との間、第２凹部と第２凸部との間、第２凹部と第３凸部との間及び第３凹部と第４凸部との間は、特許文献１に開示された多段棚と同様、締り嵌めが採用されている。
【先行技術文献】
【特許文献】
【０００８】
【特許文献１】特開平７−２６５１３５号公報
【発明の概要】
【発明が解決しようとする課題】
【０００９】
しかし、上記従来の組立式棚物では、複数の部品からの組み立てを行う者は、その組み立てが面倒であるとともに、部品の破損を生じるおそれがある。
【００１０】
すなわち、地板の第１凹部に第１支柱の第１凸部を組み付ける場合を例にすれば、組立人は、地板の第１凹部と第１支柱の第１凸部との位置を正確に合わせなければならない。この際、第１凹部が四角形状に凹み、第１凸部が四角形状に突出していることから、これらの位置合わせは、第１凹部に対する第１凸部の方向の一致も必要となる。
【００１１】
また、そうして位置合わせが終わった後、第１支柱に力を込め、その第１凸部を第１凹部に押し込まなければならない。その際、僅かな位置ずれや過剰な力により、第１凸部が変形し易い。極端な場合には、第１凸部が折れ易い。
【００１２】
本発明は、上記従来の実情に鑑みてなされたものであって、組み立てが容易であるとともに、耐久性にも優れた組立式棚物を提供することを解決すべき課題としている。
【課題を解決するための手段】
【００１３】
本発明の組立式棚物は、点前に際して組み立てられ、茶道具が飾り置かれる組立式棚物であって、
第１組付部が形成された第１板と、
第２組付部が形成された第２板と、
直線状に延び、一端に前記第１組付部に組み付けられる第１下係合部が形成されているとともに、他端に前記第２組付部に組み付けられる第１上係合部が形成され、前記第１組付部に前記第１下係合部を組み付けるとともに、前記第２組付部に前記第１上係合部を組み付けることにより、前記第１板に対して前記第２板を上方に位置させる少なくとも２本の第１支柱とを備え、
前記第１組付部と前記第１下係合部との間及び前記第２組付部と前記第１上係合部との間の少なくとも一方には、互いに引き合う磁力を生じる磁着手段が設けられていることを特徴とする。
【００１４】
本発明の組立式棚物では、例えば、第１組付部と第１下係合部との間に磁着手段が設けられている場合、組み立てを行う者が第１組付部の近傍に第１下係合部を接近させれば、磁着手段の磁力により、第１組付部と第１下係合部とが互いに引き合う。このため、第１組付部と第１下係合部とを位置あわせする際の労力、注意力等が軽減される。また、無理な力を必要とせずに第１下係合部が第１組付部に組み付けられるため、第１組付部と第１下係合部とが変形したり、破損したりし難い。第２組付部と第１上係合部との間に磁着手段が設けられている場合、第２組付部と第１上係合部との組み付けも同様である。こうして、この組立式棚物は、地板及び天板を備えた１段の棚物となる。
【００１５】
したがって、本発明の組立式棚物では、組み立てが容易であるとともに、耐久性にも優れている。
【００１６】
第１板は、第１平坦面を有する木製の第１板本体と、第１板本体に第１平坦面から凹んで形成された第１組付部としての第１凹部とを有していることが好ましい。また、第２板は、第２平坦面を有する木製の第２板本体と、第２板本体に第２平坦面から凹んで形成された第２組付部としての第２凹部とを有していることが好ましい。第１支柱は、木製の第１支柱本体と、第１支柱本体から突出して形成され、第１凹部内に遊嵌可能な第１下係合部としての第１凸部と、第１支柱本体から突出して形成され、第２凹部内に遊嵌可能な第１上係合部としての第２凸部とを有していることが好ましい。第１凹部と第１凸部との間に磁着手段としての第１磁着手段が設けられ、第２凹部と第２凸部との間に磁着手段としての第２磁着手段が設けられていることが好ましい。
【００１７】
この場合、第１凹部と第１凸部の組み付け及び第２凹部と第２凸部の組み付けにおいて、組み立てが容易である。また、第１板、第２板及び第１支柱が折れ易く、変形し易い木製であっても、本発明の効果を生じる。さらに、この組立式棚物では、例えば、第１凸部が第１凹部内に遊嵌される。このため、第１凹部に第１凸部を組み付ける際も、第１凹部から第１凸部を取り外す際も、第１凹部と第１凸部とが変形したり、破損したりするおそれがより生じ難い。第２凸部と第２凹部との関係も同様である。このため、この組立式棚物は、より耐久性に優れる。
【００１８】
本発明の組立式棚物は、第３組付部が形成された第３板を備えていることが好ましい。また、本発明の組立式棚物は、直線状に延び、一端に第２組付部又は第１上係合部に組み付けられる第２下係合部が形成されているとともに、他端に第３組付部に組み付けられる第２上係合部が形成され、第２組付部又は第１上係合部に第２下係合部を組み付けるとともに、第３組付部に第２上係合部を組み付けることにより、第２板に対して第３板を上方に位置させる少なくとも２本の第２支柱とを備えていることが好ましい。そして、第２組付部又は第１上係合部と第２下係合部との間及び第３組付部と第２上係合部との間の少なくとも一方に磁着手段が設けられていることが好ましい。
【００１９】
この場合、この組立式棚物は、例えば、第２組付部と第２下係合部との間に磁着手段が設けられている場合、組み立てを行う者が第２組付部の近傍に第２下係合部を接近させれば、磁着手段の磁力により、第２組付部と第２下係合部とが互いに引き合う。このため、第２組付部と第２下係合部とを位置あわせする際の労力、注意力等が軽減される。また、無理な力を必要とせずに第２下係合部が第２組付部に組み付けられるため、第２組付部と第２下係合部とが変形したり、破損したりし難い。第１上係合部と第２下係合部との間に磁着手段が設けられている場合において、第１上係合部と第２下係合部との組み付けも同様であり、第３組付部と第２上係合部との間に磁着手段が設けられている場合において、第３組付部と第２上係合部との組み付けも同様である。こうして、この組立式棚物は、地板、中板及び天板を備えた２段の棚物となる。
【００２０】
第２板は、第２平坦面を有する木製の第２板本体と、第２板本体に第２平坦面から凹んで形成された第２組付部としての第２凹部とを有していることが好ましい。第３板は、第３平坦面を有する木製の第３板本体と、第３板本体に第３平坦面から凹んで形成された第３組付部としての第３凹部とを有していることが好ましい。第２支柱は、木製の第２支柱本体と、第２支柱本体から突出して形成され、第２凹部内に遊嵌可能な第２下係合部としての第３凸部と、第２支柱本体から突出して形成され、第３凹部内に遊嵌可能な第２上係合部としての第４凸部とを有していることが好ましい。第２凹部と第３凸部との間に磁着手段としての第３磁着手段が設けられ、第３凹部と第４凸部との間に磁着手段としての第４磁着手段が設けられていることが好ましい。
【００２１】
この場合、第２凹部と第３凸部の組み付け及び第３凹部と第４凸部の組み付けにおいて、組み立てが容易である。また、第１板、第２板、第３板、第１支柱及び第２支柱が折れ易く、変形し易い木製であっても、本発明の効果を生じる。さらに、この組立式棚物では、例えば、第３凸部が第２凹部内に遊嵌される。このため、第２凹部に第３凸部を組み付ける際も、第２凹部から第３凸部を取り外す際も、第２凹部と第３凸部とが変形したり、破損したりするおそれがより生じ難い。第４凸部と第３凹部との関係も同様である。このため、この組立式棚物は、より耐久性に優れる。
【００２２】
第１板は、第１平坦面を有する木製の第１板本体と、第１板本体に第１平坦面から凹んで形成された第１組付部としての第１凹部とを有していることが好ましい。第２板は、第２平坦面を有する木製の第２板本体と、第２板本体に第２平坦面から凹んで形成された第２組付部としての第２凹部とを有していることが好ましい。第３板は、第３平坦面を有する木製の第３板本体と、第３板本体に第３平坦面から凹んで形成された第３組付部としての第３凹部とを有していることが好ましい。第１支柱は、木製の第１支柱本体と、第１支柱本体から突出して形成され、第１凹部内に遊嵌可能な第１下係合部としての木製の第１下凸部と、第１支柱本体から突出して形成され、第２凹部内に遊嵌可能な第１上係合部としての木製の第１上凸部とを有していることが好ましい。第２支柱は、木製の第２支柱本体と、第２支柱本体から突出して形成され、第２凹部内に遊嵌可能な第２下係合部としての木製の第２下凸部と、第２支柱本体から突出して形成され、第３凹部内に遊嵌可能な第２上係合部としての木製の第２上凸部とを有していることが好ましい。第１凹部と第１下凸部との間に磁着手段としての第１磁着手段が設けられ、第１上凸部に磁着手段としての第２磁着手段が設けられ、第２下凸部に磁着手段としての第３磁着手段が設けられ、第３凹部と第２上凸部との間に磁着手段としての第４磁着手段が設けられていることが好ましい。第２磁着手段と第３磁着手段とは、互いに磁極が異なる永久磁石からなることが好ましい。
【００２３】
この場合、第２凹部内において、第１上凸部に第２下凸部を組み付ける際、第１上凸部に設けられた永久磁石と第２下凸部に設けられた永久磁石とが互いに引き合うことにより、第１上凸部と第２下凸部とがより確実に固定される。仮に第１支柱の第１上凸部に設けられた永久磁石の磁極と第２支柱の第２下凸部に設けられた永久磁石の磁極とが同じである場合、これらの永久磁石を互いに接近させると互いに反発し合うため、第２支柱における第２上凸部及び第２下凸部の上下方向の位置関係が明確になり、誤った組み付けがなされない。
【００２４】
第１磁着手段は、第１凹部に設けられた永久磁石と、第１下凸部に設けられた永久磁石とからなり、第４磁着手段は、第３凹部に設けられた磁性体と、第２上凸部に設けられた永久磁石とからなることが好ましい。
【００２５】
この場合、第１磁着手段では、第１凹部の永久磁石と第１下凸部の永久磁石とは互いに磁極が異なる。このため、第１凹部に第１下凸部を組み付ける際、第１凹部に設けられた永久磁石と第１下凸部に設けられた永久磁石とが互いに引き合わせることにより、第１凹部と第下凸部とがより確実に固定される。仮に第１凹部に設けられた永久磁石の磁極と第１支柱の第１下凸部に設けられた永久磁石の磁極とが同じである場合、これらの永久磁石を互いに接近させると互いに反発し合うため、第１支柱における第１上凸部及び第１下凸部の上下方向の位置関係が明確になり、誤った組み付けがなされない。
【発明の効果】
【００２６】
本発明の組立式棚物によれば、組み立てが容易であるとともに、耐久性にも優れている。
【図面の簡単な説明】
【００２７】
【図１】図１は、実施例の更好棚の斜視図である。
【図２】図２は、実施例の更好棚の分解斜視図である。
【図３】図３は、実施例の更好棚に係り、地板の第１凹部と第１支柱の第１下凸部との組み付け前の状態を示す要部拡大斜視図である。
【図４】図４は、実施例の更好棚に係り、地板の第１凹部と第１支柱の第１下凸部との組み付け後の状態を示す要部拡大断面図である。
【図５】図５は、実施例の更好棚に係り、中板の第２凹部と第１支柱の第１上凸部及び第２支柱の第２下凸部との組み付け前の状態を示す要部拡大斜視図である。
【図６】図６は、実施例の更好棚に係り、中板の第２凹部と第１支柱の第１上凸部と第２支柱の第２下凸部との組み付け後の状態を示す要部拡大断面図である。
【図７】図７は、実施例の更好棚に係り、天板の第３凹部と第２支柱の第２上凸部との組み付け前の状態を示す要部拡大斜視図である。
【図８】図８は、実施例の更好棚に係り、天板の第３凹部と第２支柱の第２上凸部との組み付け後の状態を示す要部拡大断面図である。
【発明を実施するための形態】
【００２８】
以下、本発明を具体化した実施例を図面を参照しつつ説明する。
【００２９】
実施例の組立式棚物は更好棚である。更好棚は、図１及び図２に示すように、第１板としての地板１０と、第２板としての中板２０と、第３板としての天板３０と、４本の第１支柱４０と、４本の第２支柱５０とからなる。地板１０が本発明の「第１板」の一例であり、中板２０が本発明の「第２板」の一例であり、天板３０が本発明の「第３板」の一例である。また、中板２０が本発明の「第１板」の一例であり、天板３０が本発明の「第２板」の一例である。
【００３０】
地板１０は、地板本体１１と、４つの第１凹部１２Ａ〜Ｄ（第１凹部１２Ｄは図示せず）と、４つの支持体１３Ａ〜Ｄ（支持体１３Ｄは図示せず）とを有している。地板本体１１は、同一の正方形をなす平坦な上面１１Ａ及び下面１１Ｂを有している。また、上面１１Ａと下面１１Ｂとの間には、上面１１Ａ及び下面１１Ｂの一辺を長辺とする長方形状の側面１１Ｃ〜Ｆが形成されている。地板本体１１は桐によって形成され、上面１１Ａ、下面１１Ｂ及び側面１１Ｃ〜Ｆには塗装が施されている。地板本体１１が本発明の「第１板本体」の一例であり、上面１１Ａが本発明の「第１平坦面」の一例である。
【００３１】
各第１凹部１２Ａ〜Ｄはそれぞれ同一の形状を有している。各第１凹部１２Ａ〜Ｄは、地板本体１１の四隅にそれぞれ形成されている。各第１凹部１２Ａ〜Ｄは、図３及び図４に示すように、上面１１Ａから正四角柱状に凹んでいる。各第１凹部１２Ａ〜Ｄは上面１１Ａに対して垂直に延びている。上面１１Ａと各第１凹部１２Ａ〜Ｄとの境界である各辺は、地板本体１１の上面１１Ａの各辺とそれぞれ平行である。
【００３２】
図１〜４に示すように、地板本体１１の下面１１Ｂの四隅には、地板１０を下側から支持する４つの支持体１３Ａ〜Ｄが固定されている。各支持体１３Ａ〜Ｄは、各第１凹部１２Ａ〜Ｄに対応してそれぞれ設けられている。図４に示すように、地板本体１１の下面１１Ｂには、第１凹部１２Ａ〜Ｄに対応する位置に凹部１４Ａ〜Ｄ（凹部１４Ａのみ図示）が形成されている。支持体１３Ａ〜Ｄは各凹部１４Ａ〜Ｄに嵌合されている。第１凹部１２Ａ〜Ｄ及び凹部１４Ａ〜Ｄが本発明の「第１組付部」の一例である。
【００３３】
図３及び図４に示すように、各凹部１４Ａ〜Ｄの底面には、永久磁石６１Ａ〜Ｄ（永久磁石６１Ａのみ図示）がそれぞれネジ７１Ａ〜Ｄ（ネジ７１Ａのみ図示）によって固定されている。各ネジ７１Ａ〜Ｄは各永久磁石６１Ａ〜Ｄの先端面から突出しないようになっている。永久磁石６１Ａ〜Ｄの先端面側はＮ極とされている。なお、地板１０は、地板本体１１が薄くても、地板本体１１の下面１１Ｂに支持体１３Ａ〜Ｄが固定されているため、各永久磁石６１Ａ〜Ｄをネジ７１Ａ〜Ｄによって固定しても、地板本体１１に割れを生じない。
【００３４】
図１及び図２に示すように、中板２０は、中板本体２１と、４つの第２凹部２２Ａ〜Ｄ（第２凹部２２Ｄは図示せず）とからなる。中板本体２１は、同一の正方形をなす平坦な上面２１Ａ及び下面２１Ｂを有している。また、上面２１Ａと下面２１Ｂとの間には、上面２１Ａ及び下面２１Ｂの一辺を長辺とする長方形状の側面２１Ｃ〜Ｆが形成されている。中板本体２１は地板本体１１と同じ大きさ、つまり中板本体２１の上面２１Ａ及び下面２１Ｂは地板本体１１の上面１１Ａ及び下面１１Ｂと同一であり、中板本体２１の側面２１Ｃ〜Ｆは地板本体１１の側面１１Ｃ〜Ｆと同じである。中板本体２１も桐によって形成され、上面２１Ａ、下面２１Ｂ及び側面２１Ｃ〜Ｆには塗装が施されている。中板本体２１が本発明の「第２板本体」の一例であり、第２凹部２２Ａ〜Ｄが本発明の「第２組付部」の一例であり、下面２１Ｂが本発明の「第２平坦面」の一例である。
【００３５】
各第２凹部２２Ａ〜Ｄはそれぞれ同一の形状を有している。各第２凹部２２Ａ〜Ｄは、中板本体２１の四隅にそれぞれ形成されている。各第２凹部２２Ａ〜Ｄは、図５及び図６に示すように、上面２１Ａから下面２１Ｂまで正四角柱状に貫通している。各第２凹部２２Ａ〜Ｄは上面２１Ａ及び下面２１Ｂに対して垂直に延びている。各第２凹部２２Ａ〜Ｄにおける水平方向の断面積は、各第１凹部１２Ａ〜Ｄにおける水平方向の断面積と同じである。上面２１Ａと各第２凹部２２Ａ〜Ｄとの境界である各辺と、下面２１Ｂと各第２凹部２２Ａ〜Ｄとの境界である各辺とは、中板本体２１の上面２１Ａ及び下面２１Ｂの各辺とそれぞれ平行である。
【００３６】
図１及び図２に示すように、天板３０は、天板本体３１と、４つの第３凹部３２Ａ〜Ｄとを有している。天板本体３１は、正方形をなす平坦な上面３１Ａ及び下面３１Ｂを有している。また、上面３１Ａと下面３１Ｂとの間には、上面３１Ａ及び下面３１Ｂの一辺を長辺とする長方形状の側面３１Ｃ〜Ｆが形成されている。天板本体３１は中板本体２１及び地板本体１１と同じ大きさである。天板本体３１も桐によって形成され、上面３１Ａ、下面３１Ｂ及び側面３１Ｃ〜Ｆには塗装が施されている。天板本体３１が本発明の「第３板本体」の一例であり、第３凹部３２Ａ〜Ｄが本発明の「第３組付部」の一例であり、下面３１Ｂが本発明の「第３平坦面」の一例である。また、中板本体２１が本発明の「第１板本体」の一例であり、第２凹部２２Ａ〜Ｄが本発明の「第１組付部」の一例であり、上面２１Ａが本発明の「第１平坦面」の一例であるとすると、天板本体３１が本発明の「第２板本体」の一例であり、第３凹部３２Ａ〜Ｄが本発明の「第２組付部」の一例であり、下面３１Ｂが本発明の「第２平坦面」の一例である。
【００３７】
各第３凹部３２Ａ〜Ｄはそれぞれ同一の形状を有している。各第３凹部３２Ａ〜Ｄは、天板本体３１の四隅にそれぞれ形成されている。各第３凹部３２Ａ〜Ｄは、図７及び図８に示すように、下面３１Ｂから正四角柱状に凹んでいる。各第３凹部３２Ａ〜Ｄは下面３１Ｂに対して垂直に延びている。各第３凹部３２Ａ〜Ｄにおける水平方向の断面積は、各第１凹部１２Ａ〜Ｄにおける水平方向の断面積及び各第２凹部２２Ａ〜Ｄにおける水平方向の断面積と同じである。下面３１Ｂと各第３凹部３２Ａ〜Ｄとの境界である各辺は、天板本体３１の下面３１Ｂの各辺とそれぞれ平行である。
【００３８】
天板本体３１の四隅には、肉厚の薄い正方形状の鉄板６６Ａ〜Ｄ（鉄板６６Ａのみ図示）がそれぞれ配置されている。各鉄板６６Ａ〜Ｄは各第３凹部３２Ａ〜Ｄよりも上方に位置している。各鉄板６６Ａ〜Ｄは、天板本体３１の側面３１Ｃ〜Ｆに形成された図示しないスリットから挿入され、側面３１Ｃ〜Ｆに施された塗装によってスリットが隠されている。
【００３９】
図１及び図２に示すように、各第１支柱４０は、第１支柱本体４１と、第１下凸部４２と、第１上凸部４３とを有している。第１支柱本体４１は細長い正四角柱状である。図３及び図４に示すように、第１支柱本体４１の下端面４１Ａから第１下凸部４２が突出して形成されている。図５及び図６に示すように、第１支柱本体４１の上端面４１Ｂから第１上凸部４３が突出して形成されている。第１支柱本体４１、第１下凸部４２及び第１上凸部４３も桐によって形成されている。第１下凸部４２が本発明の「第１下係合部、第１凸部」の一例であり、第１上凸部４３が本発明の「第１上係合部、第２凸部」の一例である。
【００４０】
図３〜６に示すように、各第１下凸部４２及び各第１上凸部４３は正四角柱状に形成されている。第１支柱本体４１の各側面、第１下凸部４２の各側面及び各第１上凸部４３の各側面は互いに同一方向を向いている。第１支柱本体４１の中心軸、第１下凸部４２の中心軸及び第１上凸部４３の中心軸は一致している。第１下凸部４２における中心軸と直交する方向の断面積は、地板１０の各第１凹部１２Ａ〜Ｄにおける水平方向の断面積より小さくされている。第１上凸部４３における中心軸と直交する方向の断面積は、中板２０の各第２凹部２２Ａ〜Ｄにおける水平方向の断面積より小さくされている。
【００４１】
各第１下凸部４２の先端には、永久磁石６２がそれぞれネジ７２によって固定されている。各ネジ７２は各永久磁石６２の先端面から突出しないようになっている。各永久磁石６２の先端面側はＳ極とされている。各第１上凸部４３の先端にも、永久磁石６３がそれぞれネジ７３によって固定されている。各ネジ７３も各永久磁石６３の先端面から突出しないようになっている。各永久磁石６３の先端面側はＮ極とされている。第１下凸部４２と永久磁石６２との合計の高さは、第１上凸部４３と永久磁石６３の合計の高さよりやや高くなっている。永久磁石６１Ａ〜Ｄ及び永久磁石６２が本発明の「磁着手段、第１磁着手段」の一例である。
【００４２】
図１及び図２に示すように、各第２支柱５０は各第１支柱４０よりも短い。各第２支柱５０は、第２支柱本体５１と、第２下凸部５２と、第２上凸部５３とを有している。第２支柱本体５１は細長い正四角柱状である。図５及び図６に示すように、第２支柱本体５１の下端面５１Ａから第２下凸部５２が突出して形成されている。図７及び図８に示すように、第２支柱本体５１の上端面５１Ｂから第２上凸部５３が突出して形成されている。第２支柱本体５１、第２下凸部５２及び第２上凸部５３も桐によって形成されている。第２下凸部５２が本発明の「第２下係合部、第３凸部」の一例であり、第２上凸部５３が本発明の「第２上係合部、第４凸部」の一例である。
【００４３】
図５〜８に示すように、各第２下凸部５２及び各第２上凸部５３は正四角柱状に形成されている。第２支柱本体５１の各側面、第２下凸部５２の各側面及び各第２上凸部５３の各側面はそれぞれ同一方向を向いている。第２支柱本体５１の中心軸、第２下凸部５２の中心軸及び第２上凸部５３の中心軸は一致している。第２下凸部５２における中心軸と直交する方向の断面積は、中板２０の各第２凹部２２Ａ〜Ｄにおける水平方向の断面積より小さくされている。第２上凸部５３における中心軸と直交する方向の断面積は、天板３０の第３凹部３２Ａ〜Ｄにおける水平方向の断面積より小さくされている。
【００４４】
各第２下凸部５２の先端には、永久磁石６４がそれぞれネジ７４によって固定されている。各ネジ７４は各永久磁石６４の先端面から突出しないようになっている。各永久磁石６４の先端面側はＳ極とされている。各第２上凸部５３の先端にも、永久磁石６５がそれぞれネジ７５によって固定されている。各ネジ７５は各永久磁石６５の先端面から突出しないようになっている。各永久磁石６５の先端面側はＮ極とされている。第２下凸部５２と永久磁石６４との合計の高さは、第２上凸部５３と永久磁石６５の合計の高さと同一になっている。永久磁石６３、６４が本発明の「磁着手段、第２、３磁着手段」の一例であり、永久磁石６５、鉄板６６Ａ〜Ｄが本発明の「磁着手段、第４磁着手段」の一例である。また、永久磁石６３、６４が本発明の「磁着手段、第１磁着手段」の一例であり、永久磁石６５、鉄板６６Ａ〜Ｄが本発明の「磁着手段、第２磁着手段」の一例である。
【００４５】
組み立てを行う者は、以下のようにして更好棚を組み立てる。まず、地板１０の各第１凹部１２Ａ〜Ｄに各第１支柱４０の第１下凸部４２を組み付ける。そして、中板２０の各第２凹部２２Ａ〜Ｄに各第１支柱４０の第１上凸部４３を組み付ける。こうして、地板１０に対して中板２０を上方に位置させる。さらに、中板２０の各第２凹部２２Ａ〜Ｄに各第２支柱５０の第２下凸部５２を組み付ける。また、天板３０の各第３凹部３２Ａ〜Ｄに各第２支柱５０の第２上凸部５３を組み付ける。こうして、中板２０に対して天板３０を上方に位置させる。
【００４６】
この間、図３及び図４に示すように、この更好棚では、組み立てを行う者が各第１凹部１２Ａ〜Ｄの近傍に第１下凸部４２を接近させれば、永久磁石６１Ａ〜Ｄと永久磁石６２とが互いに引き合うことにより、各第１凹部１２Ａ〜Ｄと第１下凸部４２とが互いに引き合う。そして、永久磁石６１Ａ〜Ｄの先端面と永久磁石６２の先端面とが磁着する。この際、第１下凸部４２の外周面と各第１凹部１２Ａ〜Ｄの内周面との間に隙間Ｗ１が確保される。このため、この更好棚は、従来の更好棚と比較して、各第１凹部１２Ａ〜Ｄと第１下凸部４２とを位置あわせする際の労力、注意力等が軽減される。また、無理な力を必要とせずに第１下凸部４２が各第１凹部１２Ａ〜Ｄに組み付けられるため、各第１凹部１２Ａ〜Ｄと第１下凸部４２とが変形したり、破損したりし難い。
【００４７】
また、この更好棚では、図５及び図６に示すように、組み立てを行う者が各第２凹部２２Ａ〜Ｄに第１上凸部４３に組み付け後、各第２凹部２２Ａ〜Ｄの近傍に第２下凸部５２を接近させれば、永久磁石６３と永久磁石６４とが互いに引き合うことにより、各第２凹部２２Ａ〜Ｄに第２下凸部５２が組み付けられる。この際、第１上凸部４３及び第２下凸部５２の各外周面と各第２凹部２２Ａ〜Ｄの内周面との間に隙間Ｗ１がそれぞれ確保される。このため、この更好棚は、中板２０においても、上記と同様の作用効果を生じる。
【００４８】
さらに、この更好棚では、図７及び図８に示すように、組み立てを行う者が各第３凹部３２Ａ〜Ｄの近傍に第２上凸部５３を接近させれば、永久磁石６５と鉄板６６Ａ〜Ｄとが互いに引き合うことにより、各第３凹部３２Ａ〜Ｄと第２上凸部５３とが互いに引き合う。そして、永久磁石６５の先端面と第３凹部３２Ａ〜Ｄの底面とが磁着する。この際、第２上凸部５３の外周面と各第３凹部３２Ａ〜Ｄの内周面との間に隙間Ｗ１が確保される。このため、この更好棚は、天板３０においても、上記と同様の作用効果を生じる。
【００４９】
したがって、実施例の更好棚は、組み立てが容易であるとともに、耐久性にも優れている。
【００５０】
また、この更好棚では、図３及び図４に示すように、第１下凸部４２と各第１凹部１２Ａ〜Ｄとが遊嵌されていても、地板１０の上面１１Ａと第１支柱４０の下端面４１Ａとが当接しているため、地板１０に対して第１支柱４０が強固に組み付けられている。同様に、この更好棚では、図５及び図６に示すように、第１上凸部４３及び第２下凸部５２と各第１凹部１２Ａ〜Ｄとが遊嵌されていても、中板２０の下面２１Ｂと第１支柱４０の上端面４１Ｂとが当接し、中板２０の上面２１Ａと第２支柱５０の下端面５１Ａとが当接して、中板２０を上下方向で挟んでいるため、中板２０に対して第１支柱４０及び第２支柱５０が強固に組み付けられる。同様に、この更好棚では、図７及び図８に示すように、第２上凸部５３と各第３凹部３２Ａ〜Ｄとが遊嵌されていても、天板３０の下面３１Ｂと第２支柱５０の上端面５１Ｂとが当接しているため、天板３０に対して第２支柱５０が強固に組み付けられる。
【００５１】
さらに、この更好棚では、各第１凹部１２Ａ〜Ｄから第１下凸部４２を取り外す際も、第１下凸部４２の外周面と各第１凹部１２Ａ〜Ｄの内周面との間に隙間Ｗ１が確保されているため、各第１凹部１２Ａ〜Ｄと第１下凸部４２とが変形したり、破損したりするおそれがより生じ難い。同様に、この更好棚では、各第２凹部２２Ａ〜Ｄから第１上凸部４３及び第２下凸部５２を取り外す際も、第１上凸部４３及び第２下凸部５２の各外周面と各第２凹部２２Ａ〜Ｄの内周面との間に隙間Ｗ１が確保されているため、上記と同様の作用効果を生じる。同様に、この更好棚では、各第３凹部３２Ａ〜Ｄから第２上凸部５３を取り外す際も、第２上凸部５３の外周面と各第３凹部３２Ａ〜Ｄの内周面との間に隙間Ｗ１が確保されているため、上記と同様の作用効果を生じる。
【００５２】
このように、この更好棚は、地板１０、中板２０、天板３０、第１支柱４０及び第２支柱５０が本来的には折れ易く、変形し易い桐であっても、上記の構成であるため、優れた耐久性を発揮する。
【００５３】
さらに、この更好棚では、図４に示すように、各第１凹部１２Ａ〜Ｄ内に第１下上凸部４２を組み付ける際、各凹部１４Ａ〜Ｄの底面に固定された永久磁石６１Ａ〜Ｄの先端面側がＮ極であり、第１下凸部４２に固定された永久磁石６２の先端面側がＳ極であり、互いに引き合うことにより、各第１凹部１２Ａ〜Ｄと第１下凸部４２とが確実に固定される。仮に、各第１支柱４０の上下を逆にした場合、各凹部１４Ａ〜Ｄの底面に固定された永久磁石６１Ａ〜Ｄの先端面側がＮ極であり、各第１支柱４０の第１上凸部４３に固定された永久磁石６３の先端面側がＮ極であり、互いに反発し合う。このため、各第１支柱４０の上下を逆にしていることが明確になる。こうして、誤った組み付けがなされない。
【００５４】
同様に、この更好棚では、図６に示すように、第２凹部２２Ａ〜Ｄ内に第２下凸部５２を組み付ける際、第１上凸部４３に設けられた永久磁石６３の先端面側がＮ極であり、第２下凸部５２に設けられた永久磁石６４の先端面側がＳ極であり、互いに引き合うことにより、第１上凸部４３と第２下凸部５２とが確実に固定される。仮に、各第２支柱５０の上下を逆にした場合、第１上凸部４３に固定された永久磁石６３の先端面側がＮ極であり、各第２支柱５０の第２上凸部５３に固定された永久磁石６５の先端面側がＮ極であり、互いに反発し合う。このため、各第２支柱５０の上下を逆にしていることが明確になる。こうして、誤った組み付けがなされない。
【００５５】
以上において、本発明を実施例に即して説明したが、本発明は上記実施例に制限されるものではなく、その趣旨を逸脱しない範囲で適宜変更して適用できることはいうまでもない。
【００５６】
例えば、実施例では、永久磁石６１Ａ〜Ｄの磁極をＮ極とし、永久磁石６２の磁極をＳ極とし、永久磁石６３の磁極をＮ極とし、永久磁石６４の磁極をＳ極とし、永久磁石６５の磁極をＮ極としているが、永久磁石６１Ａ〜Ｄの磁極をＳ極とし、永久磁石６２の磁極をＮ極とし、永久磁石６３の磁極をＳ極とし、永久磁石６４の磁極をＮ極とし、永久磁石６５の磁極をＳ極としてもよい。
【００５７】
また、実施例では、各第２支柱５０は各第１支柱４０よりも短くされているが、各第１支柱４０と各第２支柱５０との長さを同じにしてもよい。
【００５８】
さらに、実施例では、３段の組立式棚物に本発明を具体化したが、２段、４段等の組立式棚物に本発明を具体化することも可能である。更好棚以外の組立式棚物に本発明を具体化できることはいうまでもない。
【産業上の利用可能性】
【００５９】
本発明は組立式棚物に利用可能である。
【符号の説明】
【００６０】
１０…地板（第１板）
１１…地板本体（第１板本体）
１１Ａ…上面（第１平坦面）
１２Ａ〜Ｄ…第１凹部（第１組付部）
２０…中板（第１、２板）
２１…中板本体（第１、２板本体）
２１Ａ…上面（第１平坦面）
２１Ｂ…下面（第２平坦面）
２２Ａ〜Ｄ…第２凹部（第１、２組付部）
３０…天板（第２板、第３板）
３１…天板本体（第２板本体、第３板本体）
３１Ａ…下面（第２平坦面、第３平坦面）
３２Ａ〜Ｄ…第３凹部（第２組付部、第３組付部）
４０…第１支柱
４１…第１支柱本体
４２…第１下係合部、第１凸部、第１下凸部
４３…第１上係合部、第２凸部、第１上凸部
５０…第２支柱
５１…第２支柱本体
５２…第２下凸部、第２下係合部、第３凸部
５３…第２上凸部、第２上係合部、第４凸部
６１、６２…永久磁石（磁着手段、第１磁着手段）
６３、６４…永久磁石（磁着手段、第１、２、３磁着手段）
６５…永久磁石（磁着手段、第２、４磁着手段）
６６Ａ〜Ｄ…鉄板（磁着手段、第２、４磁着手段、磁性体）
【図１】
2018015105.tif 000003
【図２】
2018015105.tif 000004
【図３】
2018015105.tif 000005
【図４】
2018015105.tif 000006
【図５】
2018015105.tif 000007
【図６】
2018015105.tif 000008
【図７】
2018015105.tif 000009
【図８】
2018015105.tif 000010